【手続補正書】
【提出日】平成21年7月3日(2009.7.3)
【手続補正１】
【補正対象書類名】特許請求の範囲
【補正対象項目名】全文
【補正方法】変更
【補正の内容】
【特許請求の範囲】
【請求項１】
（ａ）移動方向に移動する複数のノズルからインクを吐出して前記移動方向に沿う列領域にドット列を形成することにより、前記移動方向と交差する方向に並ぶ複数の前記列領域に形成された複数の前記ドット列から構成されるパターンを媒体に形成し、
前記媒体に形成された前記パターンをスキャナで読み取り、
読み取られた前記パターンの各列領域の濃度をそれぞれ測定し、
前記移動方向と交差する方向に並ぶ所定数の前記列領域の濃度の測定値の平均を算出することにより、各列領域に対応した算出濃度値をそれぞれ求め、
各列領域に対応した前記算出濃度値に基づいて、各列領域の濃度に対応する補正値を算出する際の目標濃度値であって、予め定められている目標濃度値、を列領域毎に修正し、
修正された各列領域の前記目標濃度値に基づいて、各列領域に対応する補正値をそれぞれ算出し、
（ｂ）各列領域に対応した前記算出濃度値と、予め定められている前記目標濃度値と、の差に応じて、各列領域に対応した修正値をそれぞれ算出し、
予め定められている目標濃度値を、前記修正値に基づいて列領域毎に修正し、
（ｃ）予め定められている前記目標濃度値は、前記移動方向と交差する方向に並ぶ前記所定数より多い複数の前記列領域の濃度の測定値の平均値であり、
算出された前記修正値は、前記算出濃度値と前記平均値との差であり、
（ｄ）一の列領域に対応する前記算出濃度値を求める際には、
前記一の列領域を含み前記一の列領域が間に位置する前記所定数の列領域の濃度の測定値の平均値を算出し、
算出された前記平均値を、前記一の列領域に対応する前記算出濃度値にし、
（ｅ）前記移動方向と交差する方向に並ぶ複数の前記列領域のうちの端部に位置する端部列領域、に対応する前記算出濃度値を求める際には、
前記平均値の算出により前記算出濃度値が求められた列領域の前記算出濃度値を、前記端部列領域に対応する前記算出濃度値にし、
（ｆ）前記パターンを前記媒体に形成する際に、前記ドット列を形成するドット形成処理と、前記移動方向と交差する方向に前記媒体を所定の搬送量だけ搬送する媒体搬送処理と、が繰り返され、
前記所定の搬送量は、一の列領域と、前記一の列領域から前記所定数だけ離れた別の列領域と、の間の間隔と同じ大きさであることを特徴とする補正値算出方法。
【請求項２】
移動方向に移動する複数のノズルからインクを吐出して前記移動方向に沿う列領域にドット列を形成することにより、前記移動方向と交差する方向に並ぶ複数の前記列領域に形成された複数の前記ドット列から構成されるパターンを媒体に形成し、
前記媒体に形成された前記パターンをスキャナで読み取り、
読み取られた前記パターンの各列領域の濃度をそれぞれ測定し、
前記移動方向と交差する方向に並ぶ所定数の前記列領域の濃度の測定値の平均を算出することにより、各列領域に対応した算出濃度値をそれぞれ求め、
各列領域に対応した前記算出濃度値に基づいて、各列領域の濃度に対応する補正値を算出する際の目標濃度値であって、予め定められている目標濃度値、を列領域毎に修正し、
修正された各列領域の前記目標濃度値に基づいて、各列領域に対応する補正値をそれぞれ算出し、
印刷画像を媒体に形成する際に、前記印刷画像を構成するドット列を、そのドット列の形成されるべき前記列領域に対応する前記補正値に基づいて形成することを特徴とする印刷方法。
【請求項３】
請求項２に記載の印刷方法であって、
前記パターンを前記媒体に形成する際に、前記ドット列を形成するドット形成処理と、前記移動方向と交差する方向に前記媒体を所定の搬送量だけ搬送する媒体搬送処理と、が繰り返され、
前記所定の搬送量は、一の列領域と、前記一の列領域から前記所定数だけ離れた別の列領域と、の間の間隔と同じ大きさであることを特徴とする印刷方法。
【請求項４】
請求項２または請求項３に記載の印刷方法であって、
前記パターンを前記媒体に形成する際に、前記ドット列を形成するドット形成処理と、媒体搬送ローラによって前記移動方向と交差する方向に前記媒体を搬送する媒体搬送処理と、が繰り返され、
前記媒体搬送ローラの周長は、一の列領域と、前記一の列領域から前記所定数だけ離れた別の列領域と、の間の間隔と同じ大きさであることを特徴とする印刷方法。
【請求項５】
請求項２〜請求項４のいずれかに記載の印刷方法であって、
複数の前記ノズルは、前記移動方向と交差する方向に、一定間隔にてそれぞれ設けられており、
前記一定間隔は、一の列領域と、前記一の列領域から前記所定数だけ離れた別の列領域と、の間の間隔よりも小さいことを特徴とする印刷方法。
【請求項６】
（ａ）移動方向に移動する複数のノズルからインクを吐出して前記移動方向に沿う列領域にドット列を形成することにより、前記移動方向と交差する方向に並ぶ複数の前記列領域に形成された複数の前記ドット列から構成されるパターンを媒体に形成し、
前記媒体に形成された前記パターンをスキャナで読み取り、
読み取られた前記パターンの各列領域の濃度をそれぞれ測定し、
前記移動方向と交差する方向に並ぶ所定数の前記列領域の濃度の測定値の平均を算出することにより、各列領域に対応した算出濃度値をそれぞれ求め、
各列領域に対応した前記算出濃度値に基づいて、各列領域の濃度に対応する補正値を算出する際の目標濃度値であって、予め定められている目標濃度値、を列領域毎に修正し、
修正された各列領域の前記目標濃度値に基づいて、各列領域に対応する補正値をそれぞれ算出し、
印刷画像を媒体に形成する際に、前記印刷画像を構成するドット列を、そのドット列の形成されるべき前記列領域に対応する前記補正値に基づいて形成し、
（ｂ）前記パターンを前記媒体に形成する際に、前記ドット列を形成するドット形成処理と、前記移動方向と交差する方向に前記媒体を所定の搬送量だけ搬送する媒体搬送処理と、が繰り返され、
前記所定の搬送量は、一の列領域と、前記一の列領域から前記所定数だけ離れた別の列領域と、の間の間隔と同じ大きさであり、
（ｃ）前記パターンを前記媒体に形成する際に、前記ドット列を形成するドット形成処理と、媒体搬送ローラによって前記移動方向と交差する方向に前記媒体を搬送する媒体搬送処理と、が繰り返され、
前記媒体搬送ローラの周長は、一の列領域と、前記一の列領域から前記所定数だけ離れた別の列領域と、の間の間隔と同じ大きさであり、
（ｄ）複数の前記ノズルは、前記移動方向と交差する方向に、一定間隔にてそれぞれ設けられており、
前記一定間隔は、一の列領域と、前記一の列領域から前記所定数だけ離れた別の列領域と、の間の間隔よりも小さいことを特徴とする印刷方法。
【請求項７】
メモリを備える印刷装置を準備し、
前記印刷装置を用いて、移動方向に移動する複数のノズルからインクを吐出して前記移動方向に沿う列領域にドット列を形成することにより、前記移動方向と交差する方向に並ぶ複数の前記列領域に形成された複数の前記ドット列から構成されるパターンを媒体に形成し、
前記媒体に形成された前記パターンをスキャナで読み取り、
読み取られた前記パターンの各列領域の濃度をそれぞれ測定し、
前記移動方向と交差する方向に並ぶ所定数の前記列領域の濃度の測定値の平均を算出することにより、各列領域に対応した算出濃度値をそれぞれ求め、
各列領域に対応した前記算出濃度値に基づいて、各列領域の濃度に対応する補正値を算出する際の目標濃度値であって、予め定められている目標濃度値、を列領域毎に修正し、
修正された各列領域の前記目標濃度値に基づいて、各列領域に対応する補正値をそれぞれ算出し、
算出された前記補正値に関する情報を前記メモリに記憶することを特徴とする印刷装置の製造方法。